(57)【要約】【課題】  上蓋の密封リング内面に付着した内容液が注出筒の外に流れ落ちるのを防止できるヒンジキャップを提供すること。【解決手段】  容器の口部に装着するキャップ本体と、ヒンジを介してキャップ本体と連設された上蓋とからなるヒンジキャップであって、キャップ本体は、容器の口部に装着する装着部と、装着部上端から内方に延設され口部開口を封鎖する隔壁と、隔壁を貫通する注出孔の周囲に立設された注出筒とからなり、上蓋は、頂壁と、頂壁の周縁に垂設された側周壁とからなり、頂壁の裏面には、キャップ本体の注出筒の内周面を密封する密封リングが垂設され、密封リング下端部のヒンジ側には、舌片が延設され、舌片の内表面には、横リブが形成されていることを特徴とする。【選択図】  図２
2014234195.tif 000002
【特許請求の範囲】
【請求項１】
容器の口部に装着するキャップ本体と、ヒンジを介してキャップ本体と連設された上蓋とからなるヒンジキャップであって、
キャップ本体は、容器の口部に装着する装着部と、装着部上端から内方に延設され口部開口を封鎖する隔壁と、隔壁を貫通する注出孔の周囲に立設された注出筒とからなり、
上蓋は、頂壁と、頂壁の周縁に垂設された側周壁とからなり、
頂壁の裏面には、キャップ本体の注出筒の内周面を密封する密封リングが垂設され、
密封リング下端部のヒンジ側には、舌片が延設され、
舌片の内表面には、横リブが形成されていることを特徴とするヒンジキャップ。
【請求項２】
舌片は、閉蓋時に、先端がキャップ本体の隔壁上面に接近する高さであるとともに、外表面が注出筒内周に接触しないように形成されていることを特徴とする請求項１記載のヒンジキャップ。
【請求項３】
上蓋の頂壁は、ドーム状であることを特徴とする請求項１または２記載のヒンジキャップ。
【請求項４】
上蓋の頂壁は、平坦であることを特徴とする請求項１または２記載のヒンジキャップ。
【発明の詳細な説明】
【技術分野】
【０００１】
本発明は、容器の口部に装着されるキャップ本体にヒンジを介して上蓋が連設されたヒンジキャップに関し、より詳しくは、上蓋の密封リング内面に付着した内容液が注出筒の外に流れ落ちるのを防止したヒンジキャップに関するものである。
【背景技術】
【０００２】
従来、内容液が充填された容器の口部には、内容液を注出するための注出筒を有するヒンジキャップが装着されている。この種のヒンジキャップとしては、注出筒を具えたキャップ本体と、注出筒を密封する密封リングを具えた上蓋とをヒンジを介して一体成形されたものが市場に流通している。
このようなヒンジキャップにおいて、上蓋の密封リングのヒンジ側に注出筒内側に向かって延出する板状の舌片を設けることにより、閉蓋時に、容器を倒したり、容器を振った場合に、上蓋の内面に内容液が付着しても、その内容液を前記舌片により注出筒内に案内するようにしたものが知られている（例えば、特許文献１参照）。
【先行技術文献】
【特許文献】
【０００３】
【特許文献１】実用新案登録第２５４６１３７号公報
【発明の概要】
【発明が解決しようとする課題】
【０００４】
しかしながら、特許文献１のヒンジキャップでは、上蓋の密封リングから延出する舌片の内表面が平坦なため、上蓋の密封リング内面に内容液が付着したまま上蓋を開けると、舌片が水平になるまで舌片を内容液が流れ続けるため、上蓋を９０度以上に開いて舌片を逆に傾斜させても、直ちに舌片の先端から流れ落ちる内容液は途切れず、舌片の外表面を伝って密封リングの外周から上蓋の内面やキャップ本体の上面を汚してしまうという問題があった。
【０００５】
本発明は、上記問題を解決することを課題とし、閉蓋時に、容器を倒したり、容器を振った場合に、上蓋の密封リング内面に内容液が付着したままで、上蓋を９０度以上に開いた際に、舌片の外表面を伝って上蓋の内面やキャップ本体の上面に内容液が流れ落ちるのを防止できるヒンジキャップを提供することを目的とする。
【課題を解決するための手段】
【０００６】
本発明は、上記の課題を解決するため、ヒンジキャップとして、容器の口部に装着するキャップ本体と、ヒンジを介してキャップ本体と連設された上蓋とからなるヒンジキャップであって、キャップ本体は、容器の口部に装着する装着部と、装着部上端から内方に延設され口部開口を封鎖する隔壁と、隔壁を貫通する注出孔の周囲に立設された注出筒とからなり、上蓋は、頂壁と、頂壁の周縁に垂設された側周壁とからなり、頂壁の裏面には、キャップ本体の注出筒の内周面を密封する密封リングが垂設され、密封リング下端部のヒンジ側には、舌片が延設され、舌片の内表面には、横リブが形成されていることを特徴とする構成を採用する。
【０００７】
舌片は、閉蓋時に、先端がキャップ本体の隔壁上面に接近する高さであるとともに、外表面が注出筒内周に接触しないように形成されていることを特徴とする構成を採用する。
【０００８】
上蓋の具体的実施形態として、上蓋の頂壁は、ドーム状であることを特徴とする構成を採用する。
また、上蓋の頂壁は、平坦であることを特徴とする構成を採用する。
【発明の効果】
【０００９】
本発明のヒンジキャップは、密封リング下端部のヒンジ側に舌片が延設され、舌片の内表面には、横リブが形成されていることにより、舌片の内表面を流れる内容液を舌片が水平になる前に横リブで保持することで、内容液が舌片の先端からその外表面を伝って上蓋の内面やキャップ本体の上面に流れ落ちるのを防止できる。
【００１０】
さらに、密封リング下端部から延設された舌片は、閉蓋時に、先端がキャップ本体の隔壁上面に接近する高さであるとともに、外表面が注出筒内周に接触しないように形成されていると、舌片を流れ落ちる内容液が注出筒内周に付着することなく注出孔に回収することができる。
【００１１】
また、本発明のヒンジキャップは、上蓋の頂壁の形状がドーム状であっても平坦であっても構わないが、密封リングが垂設された頂壁の裏面に付着した内容液をスムーズに注出孔に回収し易くする観点からは、ドーム状の場合の方がより効果的である。
【図面の簡単な説明】
【００１２】
【図１】本発明の実施例であるヒンジキャップの閉蓋状態を示す側断面図である。
【図２】本発明の実施例であるヒンジキャップを抜栓した後、上蓋を９０度開いた状態を示す側断面図である。
【図３】本発明の実施例であるヒンジキャップの開蓋状態を示す図であり、（ａ）は上面図、（ｂ）は側断面図である。
【図４】（ａ）は本発明の実施例であるヒンジキャップの開蓋状態を示す上蓋の正断面図であり、（ｂ）は図３（ａ）の要部拡大図である。
【発明を実施するための形態】
【００１３】
次に、本発明のヒンジキャップについて、実施例に示した図面を参照して説明する。
【００１４】
図１、２において、Ａは容器の口部１に装着されるキャップ本体、Ｂはキャップ本体ＡにヒンジＣを介して一体成形された上蓋である。
【００１５】
容器は、上端に口部１を具え、口部１の外周面には、嵌合突条２が形成されている。
キャップ本体Ａは、装着部３と、装着部３に連設され、容器内の内容液を注出する注出部４とからなっている。
装着部３は、周縁部に係止突条を設けた蓋係止部６を立設した環状の基壁７と、基壁７の内周縁から垂設された内筒８と、基壁７の外周縁から垂設された外筒９とからなっている。
外筒９の内周面下端部には、容器の口部１の嵌合突条２と係合する係合突条１０が形成されている。
【００１６】
外筒９の上面には、ヒンジＣの連設部の片方の側部近傍からヒンジＣの中心側に向かうとともに、所定円周角の円弧範囲にわたって延び、所定の深さまで切り込まれたスリット溝９ａが、凹設されている。
図４（ｂ）に示すように、外筒９のスリット溝９ａの底部内周側は、外筒９の内周との間で薄肉となり、破断可能な薄肉周部９ｂが形成されている。
【００１７】
なお、薄肉周部９ｂについては、分別廃棄する際の起点となる破断開始点から一定範囲に切れ目を設けてもよい。
外筒９のスリット溝９ａのヒンジＣ側の端部は、外周から縦方向に切り込まれた略Ｖ字状の外周凹部９ｃとの間に、破断開始点となる薄肉連結部９ｄが形成され、外周凹部９ｃの内周側には、破断可能な薄肉縦部９ｅが形成されている。
また、外筒９の係合突条１０の薄肉縦部９ｅ近傍は、内周から切り欠かれている。
【００１８】
注出部４は、上壁１１の内縁から立設される注出筒１２と、注出筒１２の内周下部に連設される隔壁１３とからなっている。
注出筒１２は、内容液を注ぎ易くするために、本実施例では、ヒンジＣ側が低く、ヒンジＣと反対側が高く形成され、その先端部１２ａは、ラッパ状に広がっている。
隔壁１３には、注出筒１２の内周１２ｂ近傍に形成された破断可能な薄肉の弱化部１４により注出孔Ｄを開口する除去部１５が設けられており、除去部１５のヒンジＣ側には、支柱１６を介してプルリング１７が連設され、プルリング１７のヒンジＣと反対側の下部には、指先への接圧をやわらかくするために緩衝部１８が形成されている。
また、本実施例では、薄肉の弱化部１４を破断して開封するまで容器内部を密閉する隔壁１３としたが、予め注出孔Ｄが開口された隔壁１３であっても構わない。
【００１９】
上蓋Ｂは、ヒンジＣを介してキャップ本体Ａの外筒９の外周上端に、回動自在に取着されており、ドーム状に形成された頂壁１９と、その周縁に垂設された側周壁２０とからなっている。
頂壁１９の裏面には、閉蓋時に注出筒１２の内周１２ｂを密封する筒状の密封リング２１が垂設されている。
【００２０】
側周壁２０の下端部内周には、キャップ本体Ａの蓋係止部６の外周側と係止する下方に係合突条を設けた環状の係止凹部２２が形成されている。
側周壁２０のヒンジＣと反対側の下端部外周には、図３に示すように、摘み部２３が平面視で円弧状に形成され、本実施例では、側周壁２０は、摘み部２３が設けられた近傍を薄肉状部２０ａとし、摘み部２３には、側周壁２０下端部近傍の上面に凹部２３ａが形成されている。
【００２１】
密封リング２１の下端部２１ａには、ヒンジＣ側の中央に向かって両側から隆起する形状に形成された板状の舌片２４が注出筒１２内方に向かって延設されている。
舌片２４は、図１に示すように、閉蓋時に、先端２４ａがキャップ本体Ａの隔壁１３上面に接近する高さであるとともに、外表面２４ｂが注出筒１２の内周１２ｂに接触しないように密封リング２１の下端部２１ａよりも薄肉に形成されている。
【００２２】
舌片２４の形状は、密封リング２１内面に付着した内容液を注出孔Ｄ内方に案内できるものであれば、どのような形状でも構わず、例えば、下方に向かって凸の半楕円形状や、三角形状等とすることができる。
【００２３】
舌片２４の内表面２４ｃには、図４に示すように、横リブ２５がヒンジＣ側を中心に縁部２４ｄ近傍まで形成されている。
本実施例では、横リブ２５は、２本形成されているが、必要に応じてその本数は増減でき、その断面形状も半円形、三角形、四角形など、内容液を保持可能な形状に形成することができる。
【００２４】
次に、本実施例の使用態様と作用効果について説明する。
本実施例のヒンジキャップは、図１に示すように、上蓋Ｂを閉じた状態で、内容液が充填された容器の口部１に打栓して装着する。
打栓工程は、装着部３の内筒８と外筒９との間に形成された環状溝部に容器の口部１を当てがい、上蓋Ｂの上から押圧力を加えることによって、外筒９の係合突条１０が口部１の嵌合突条２を乗り越えて嵌合し、容器の口部１を、内筒８の外周と外筒９の内周および基壁７とによって挟持することで装着する。
なお、本実施例では、装着部３は、内筒８の外周と外筒９の内周および基壁７とによって容器の口部１を狭持するものとしたが、容器の口部１の外周に雄ネジを形成するとともに、外筒９の内周に雌ねじを形成することによって螺着するものであってもよい。
【００２５】
本実施例のヒンジキャップを開蓋するには、図１に示す状態から、上蓋Ｂの摘み部２３を持ち上げると、側周壁２０の薄肉状部２０ａは、側周壁２０の他の壁より薄肉となっているので、摘み部２３側から薄肉状部２０ａが変形し、側周壁２０の摘み部２３付近の部分が持ち上げられていく。
側周壁２０の薄肉状部２０ａが変形し、側周壁２０の摘み部２３付近の部分が持ち上げられると、側周壁２０の摘み部２３付近の係止凹部２２と蓋係止部６の係止突条との係止が外される。
さらに、ヒンジＣを支点に上蓋Ｂが廻動し、摘み部２３側が持ち上げられると、摘み部２３付近から側周壁２０の他の部分も変形し、係止凹部２２内周と蓋係止部６外周との嵌合が外され、上蓋Ｂが開蓋される。
【００２６】
つぎに、キャップ本体Ａの隔壁１３の注出孔Ｄを開口する際には、キャップ本体Ａの注出部４の隔壁１３のプルリング１７に指などを掛けて引っ張り上げ、弱化部１４をヒンジＣ側から破断させていく。
最後は、隔壁１３の除去部１５を抜栓し、図２に示すように、隔壁１３に注出孔Ｄを開口する。
【００２７】
隔壁１３に注出孔Ｄが開口された後、容器をヒンジＣの反対側に傾けるか、または、容器の胴部が押圧変形可能なものであれば、容器を押圧変形することによって、容器内の内容液を注出筒１２の先端部１２ａを介して注出することができる。
【００２８】
隔壁１３に注出孔Ｄが開口された後は、上蓋Ｂを閉蓋して容器内を密封することができる。
その際、キャップ本体Ａの注出筒１２の内周１２ｂに、上蓋Ｂの密封リング２１の外周が密接し、注出筒１２より内方を密封する。
【００２９】
また、密封リング２１のヒンジＣ側に、閉蓋時に、先端２４ａがキャップ本体Ａの隔壁１３上面に接近する高さとなるとともに、外表面２４ｂが注出筒１２の内周１２ｂに接触しないように舌片２４を延設したことによって、閉蓋状態の容器を誤って倒して、容器内の内容液が上蓋Ｂの密封リング２１の内面に付着しても、上蓋Ｂを開蓋する際に、付着した内容液が密封リング２１内面および舌片２４の内表面２４ｃを伝って、注出孔Ｄの内方に案内されるので、舌片２４を流れ落ちる内容液が注出筒１２の内周１２ｂに付着することなく注出孔Ｄに回収することができる。
【００３０】
さらに、本実施例のヒンジキャップでは、舌片２４の内表面２４ｃには、横リブ２５がヒンジＣ側を中心に縁部２４ｄ近傍まで形成されていることにより、上蓋Ｂを開蓋する際に、密封リング２１内面に内容液が付着していても、図２のように、上蓋Ｂを９０度近くまで開き、舌片２４が水平に近くなると、密封リング２１内面に付着した内容液が舌片２４の内表面２４ｃに形成された横リブ２５によって保持され、上蓋Ｂをそれ以上開いても内容液が舌片２４の先端２４ａから外表面２４ｂを伝って上蓋Ｂの内面やキャップ本体Ａの上面に流れ落ちるのを防止することができる。
つぎに、上蓋Ｂを閉蓋する際に、舌片２４が水平から一定の角度を超えると、横リブ２５に保持されていた内容液は、徐々に横リブ２５を越えて注出孔Ｄ内方へ流れ落ちるようになる。
【００３１】
容器を使用後、本実施例のヒンジキャップを分別廃棄する態様について説明する。
まず、本実施例のヒンジキャップを開蓋して上蓋Ｂを把持し外方に引っ張ると、キャップ本体Ａの外筒９のヒンジＣとの連設部位が引っ張られて変形し、薄肉連結部９ｄが引き裂かれて、外筒９の上端からスリット溝９ａの底部の位置まで破断される。
その後、さらに上蓋Ｄを引っ張ると、薄肉縦部９ｅが引き裂かれるとともに、スリット溝９ａの薄肉周部９ｂが薄肉連結部９ｄ側から引き裂かれ、外筒９のスリット溝９ａの外側および下側が離されていく。
【００３２】
外筒９の薄肉周部９ｂが切断され、外筒９のスリット溝９ａの外側および下側が離されていくことにより、容器Ａの口部１外周に係合している外筒９の内周および係合突条１０との係合が外されていく。
さらに、上蓋Ｂまたは切り離された外筒９を上に引っ張ると、容器の口部１からキャップ本体Ａを簡単に外すことができ、キャップと容器を分別廃棄することができる。
なお、本実施例では、キャップと容器の分別を容易にする構造としているが、スリット溝や薄肉部などのキャップと容器の分別機構がない従来のキャップであってもよい。
【産業上の利用可能性】
【００３３】
本発明のヒンジキャップは、実施例のように上蓋の頂壁をドーム状に形成したものに限らず、頂壁を平坦に形成したものにも適用でき、閉蓋時に、容器を倒したり、容器を振っても、密封リング下端部のヒンジ側から舌片を延設し、舌片の内表面に横リブを形成したことで、上蓋を開蓋する際に、上蓋の密封リング内面に付着した内容液が舌片の先端からその外表面を伝って上蓋の内面やキャップ本体の上面に流れ落ちるのを防止することができるから、衛生的な使用環境を必要とする食用液体注出容器のキャップとして広く使用することができ、特に、食用油や液体調味料などの粘度の高い液体を充填する容器のヒンジキャップとして好適である。
【符号の説明】
【００３４】
Ａ        キャップ本体
Ｂ        上蓋
Ｃ        ヒンジ
Ｄ        注出孔
１        口部
２        嵌合突条
３        装着部
４        注出部
６        蓋係止部
７        基壁
８        内筒
９        外筒
９ａ      スリット溝
９ｂ      薄肉周部
９ｃ      外周凹部
９ｄ      薄肉連結部
９ｅ      薄肉縦部
１０        係合突条
１１        上壁
１２        注出筒
１２ａ      先端部
１２ｂ      内周
１３        隔壁
１４        弱化部
１５        除去部
１６        支柱
１７        プルリング
１８        緩衝部
１９        頂壁
２０        側周壁
２０ａ      薄肉状部
２１        密封リング
２１ａ      下端部
２２        係止凹部
２３        摘み部
２３ａ      凹部
２４        舌片
２４ａ      先端
２４ｂ      外表面
２４ｃ      内表面
２４ｄ      縁部
２５        横リブ
【図１】
2014234195.tif 000003
【図２】
2014234195.tif 000004
【図３】
2014234195.tif 000005
【図４】
2014234195.tif 000006